【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
商品に取付けるセキュリティタグであって、前記セキュリティタグは、
取外可能に前記セキュリティタグを前記商品に取付けるためのロック機構と；
所定周波数で無線信号に応答する共振回路または無線ＩＤ回路（４７０）と；
環境無線周波数エネルギ捕獲回路（４２０）と；
前記環境無線周波数エネルギ捕獲回路（４２０）に接続される解除信号検出回路（４４０）であって、前記環境無線周波数エネルギ捕獲回路（４２０）が前記解除信号検出回路（４４０）を作動させることと；
前記解除信号検出回路（４４０）に電気的接続されるアクチュエータ（４６０）であって、前記解除信号検出回路（４４０）が解除信号を受信する毎に前記アクチュエータ（４６０）は、前記ロック機構を解除することと
を備える、セキュリティタグ。
【請求項２】
前記アクチュエータ（４６０）は、電子機械アクチュエータ（４６０）であり、
前記セキュリティタグは更に、前記無線周波数エネルギ捕獲回路（４２０）のうちの一部である電荷蓄積装置（４３０）を備える、
請求項１記載のセキュリティタグ。
【請求項３】
前記無線周波数エネルギ捕獲回路（４２０）は、広帯域の周波数から無線周波数エネルギを捕獲するか、または単一の無線周波数周波数から無線周波数エネルギを捕獲する、
請求項２記載のセキュリティタグ。
【請求項４】
前記解除信号検出回路（４４０）は、無線周波数解除信号に応答し、
前記無線周波数信号を受信するとただ一つの前記セキュリティタグを解除するように前記無線周波数解除信号は変調され、
前記無線周波数解除信号は、特異識別子を備えるデータを搬送する、
請求項２記載のセキュリティタグ。
【請求項５】
前記共振回路は、前記所定周波数に無線周波数場が存在する場合に共振し、
前記所定周波数は、８．２ＭＨｚと１３．５６ＭＨｚを含むグループから選択される、
請求項２記載のセキュリティタグ。
【請求項６】
前記無線ＩＤ回路（４７０）は、前記セキュリティタグの外部の前記無線信号によって作動され、
前記無線ＩＤ回路（４７０）は、前記無線周波数エネルギ捕獲回路（４２０）によって作動され、
前記無線ＩＤ回路（４７０）は、各々の前記セキュリティタグに、特異な符号を備える信号を伝送する、
請求項２記載のセキュリティタグ。
【請求項７】
商品セキュリティタグであって、前記商品セキュリティタグは、
監視すべき商品に前記セキュリティタグを付着させるロック装置であって、前記ロック装置は前記ロック装置を解除するためのアクチュエータ（４６０）を内蔵することと；
環境無線周波数捕獲回路（４２０）と；
前記環境無線周波数捕獲回路（４２０）によって作動される制御回路であって、前記制御回路は無線信号を受信するように構成され、前記アクチュエータ（４６０）は、前記制御回路に電気的接続されることと
を備え、
前記制御回路は、前記無線信号が前記ロック装置の解除に適切か否か判定するように構成され、よって前記制御回路は前記アクチュエータ（４６０）が前記ロック装置を解除するための信号を生成する、商品セキュリティタグ。
【請求項８】
遠隔駆動装置とロック装置を備えるロックシステムであって、
前記遠隔駆動装置は、少なくとも一つの無線信号を前記ロック装置に無線伝送するように構成される携帯装置を備え、
前記ロック装置はエネルギ蓄積機構、駆動トリガ機構、および制御回路を備える受動ロック装置であり、前記制御回路は、環境無線周波数捕獲回路（４２０）によって作動され、
前記エネルギ蓄積機構は、ポテンシャル機械エネルギを蓄積し、前記エネルギ蓄積機構は、前記トリガ機構によって誘発された場合に前記エネルギを放出するように構成され、前記エネルギが放出された場合に前記ロック装置は解除され、
前記制御回路は、前記携帯装置から少なくとも一つの前記無線信号を受信するように構成され、前記制御回路は、少なくとも一つの前記無線信号が前記ロック装置の解除に適切か否か判定するように構成され、よって前記制御回路はトリガ信号を生成し、
前記トリガ機構は、前記制御回路に接続され、前記トリガ機構は、前記トリガ信号にのみ応答することによって前記エネルギ蓄積機構を駆動し、前記エネルギ蓄積機構が前記エネルギを放出することによって前記ロック装置を解除させる、ロックシステム。
【請求項９】
前記エネルギ蓄積機構は、前記ロック装置を閉めると前記ポテンシャルエネルギを前記エネルギ蓄積機構内に蓄積するように構成される、
請求項８記載のロックシステム。
【請求項１０】
前記エネルギ蓄積機構、前記トリガ機構、および前記制御回路は全て、ハウジング（Ｈ１）内に配置され、
前記ハウジング（Ｈ１）は、前記携帯装置由来の前記無線信号が前記ハウジング（Ｈ１）を通過して前記制御回路に到達できるように構成され、
前記ハウジング（Ｈ１）は、物理的侵入に対する抵抗性を有する、
請求項８記載のロックシステム。
【請求項１１】
前記無線信号は、少なくとも一つのロック関連符号を含む無線周波数エネルギを含み、
前記携帯装置は、前記無線信号を前記ロック装置に無線伝送するアンテナを備え、
前記制御回路は、無線ＩＤ回路（４７０）を備え、
前記無線周波数エネルギは、１３．５６ＭＨｚにあり、
前記携帯装置は、複数のロック関連符号を蓄積するように構成され、
前記携帯装置は、前記ロック関連符号を管理する、
請求項８記載のロックシステム。
【請求項１２】
前記制御回路は、暗号化手段を含む、
請求項８記載のロックシステム。
【請求項１３】
ロックシステムと、前記ロックシステムによって保護すべき構造体とを備える保護システムであって、
前記ロックシステムは、遠隔駆動装置とロック装置を備え、
前記遠隔駆動装置は、少なくとも一つの無線信号を前記ロック装置に無線伝送するように構成される携帯装置を備え、
前記ロック装置は、エネルギ蓄積機構、駆動トリガ機構、および制御回路を備える受動ロック装置であり、前記制御回路は、環境無線周波数捕獲回路（４２０）によって作動され、
前記エネルギ蓄積機構は、ポテンシャル機械エネルギを蓄積し、前記エネルギ蓄積機構は、前記トリガ機構によって誘発される場合に前記エネルギを放出するように構成され、前記エネルギが放出されると前記ロック装置は解除され、
前記制御回路は、前記携帯装置から少なくとも一つの前記無線信号を受信するように構成され、
前記制御回路は、前記無線信号が前記ロック装置の解除に適切か否か判定するように構成され、よって前記制御回路はトリガ信号を生成し、
前記トリガ機構は、前記制御回路に接続され、前記トリガ機構は、前記トリガ信号にのみ応答することによって前記エネルギ蓄積機構を駆動し、前記エネルギ蓄積機構が前記エネルギを放出することによって前記ロック装置を解除させる、保護システム。
【請求項１４】
前記ロック装置は、前記構造体に結合するように構成され、よって前記ロック装置が閉じている場合に前記ロック装置は、前記構造体へのアクセスを不可能にする、
請求項１３記載の保護システム。
【請求項１５】
前記構造体は、販売すべき製品を保持するように構成され、
前記構造体は、静的であり、
前記構造体は、部屋、ケージ、キャビネット、引き出し、ロッカー、ディスプレイ付属品、および分配付属品を含むグループから選択される、
請求項１４記載の保護システム。
【請求項１６】
ロックシステムを用いることによって構造体を保護する構造体保護方法であって、前記構造体保護方法は、
（Ａ）遠隔駆動装置とロック装置を備える前記ロックシステムを提供することであって、前記遠隔駆動装置は、少なくとも一つの無線信号を前記ロック装置に無線伝送するように構成される携帯装置を備え、前記ロック装置は、エネルギ蓄積機構、駆動トリガ機構、および制御回路を備え、前記制御回路は、環境無線周波数捕獲回路（４２０）によって作動され、前記エネルギ蓄積機構は、ポテンシャル機械エネルギを蓄積し、前記エネルギ蓄積機構は、前記トリガ機構によって誘発される場合に前記エネルギを放出するように構成され、前記エネルギが放出されると前記ロック装置は解除され、前記制御回路は、前記携帯装置から少なくとも一つの前記無線信号を受信するように構成され、前記制御回路は、前記無線信号が前記ロック装置の解除に適切か否か判定するように構成され、よって前記制御回路は、トリガ信号を生成し、前記トリガ機構は、前記制御回路に接続され、前記ト
リガ機構は、前記トリガ信号にのみ応答することによって前記エネルギ蓄積機構を駆動し、前記エネルギ蓄積機構が前記エネルギを放出することによって前記ロック装置を解除させることと；
（Ｂ）前記ロック装置を前記構造体に結合することと
を備える、構造体保護方法。
【請求項１７】
前記構造体保護方法が、販売すべき製品を保護すべく、
前記構造体は、前記製品を保護する、
請求項１６記載の構造体保護方法。
【請求項１８】
前記アクチュエータ（４６０）は、線形アクチュエータとしてのソレノイドである、
請求項１記載のセキュリティタグ。
【請求項１９】
前記トリガ機構は、人工筋肉、圧電電気装置、ホール効果装置、ベイカー効果装置を含むグループから選択される電気・機械エネルギ変換器である、
請求項８記載のロックシステム。
【請求項２０】
前記携帯装置は、携帯電話、携帯型デジタル補助装置、携帯型とラップトップ型のコンピュータのうちから選択される、
請求項８記載のロックシステム。
【請求項２１】
前記携帯装置は、複数のロック関連符号を蓄積するように構成され、
前記携帯装置は、前記ロック関連符号を管理し、
前記トリガ機構は、人工筋肉、圧電電気装置、ホール効果装置、ベイカー効果装置のうちから選択される電気・機械エネルギ変換器である、
請求項４０記載の保護システム。
【請求項２２】
前記構造体は、販売すべき製品を保持するように構成され、
前記構造体は、ハードセキュリティタグ、セイファ、スパイダー、ボックス、ケース、販促ディスプレイ、および販促ディスペンサのうちから選択される携帯型である、請求項１４記載の保護システム。